Podtech/llm-jp-corpus-v4-ja_patent huggingface dataset:
(57)【要約】【課題】従来のもぐら忌避方法は、土中に振動や音でもぐらを忌避する方法だが、慣れを生じてしまう欠点があった。又、装置として高価になってしまい、電力供給なども考慮しなければならず、農耕地などでは、電力確保が困難である。  また、木タール液とニンニクとから成るもぐら忌避剤は、木タール液が水不溶性であるために効果範囲が狭く、広範囲の場所には、不向きである。さらに、木タール液とニンニクは、分解後土壌となるが、植物にとって有害ではないが、有益なものでもない。もぐらの忌避以外には、何ら効果を持たないなどの欠点があった。  【解決手段】環境には無害である石灰質で多孔質な物質に、ヨウ素成分（７〜１０重量％）を吸着させ、その物質をもぐらを忌避したい場所に、埋める事でもぐらを忌避し、さらには農耕地にとって有益になる成分を含む。【選択図】なし【特許請求の範囲】
【請求項１】
珊瑚貝化石をヨウ素溶液に浸漬させてヨウ素成分を吸着させたもぐら忌避剤。
【請求項２】
珊瑚貝化石の形状が、租粒、顆粒、粉末などである請求項１記載のもぐら忌避剤。
【発明の詳細な説明】
【技術分野】
【０００１】
本発明は、もぐらの忌避を目的とするもぐら忌避剤に関する。
【背景技術】
【０００２】
従来のもぐら忌避は、土中に振動や音を与えてもぐらを忌避する装置があった。（例えば、特許文献１参照。）
また、環境問題の配慮の点から、木タール液または竹タール液とニンニクとから成るもぐら忌避剤があった。（例えば、特許文献２参照。）
【０００３】
従来のもぐら忌避は、特開2001−340047号公報記載のもぐらの忌避装置では、容器内に、音と振動を発生させる発信部と、該発信部を制御する制御装置と、前記発信部及び前記制御装置を駆動する駆動電源とを配置したもぐら忌避装置において、前記容器を形成する筒体の底面に突部を設け、前記発信部は、前記筒体の底面に固定させた支持体と、一端が前記支持体に支持され他端に打撃子が設けられたばね状板と、該ばね状板の上面に固定されたモータと、該モータの回転軸に回転可能に取り付けられ、かつ前記突部に対向する位置に設けられた回転カムとを有し、前記回転カムの前記突部への当接に応じて前記打撃子が前記筒体の底面を打撃するように構成されていることを特徴とするモグラ忌避装置としている。もぐらは音や振動に慣れを生じる為、音や振動を発生させる事を一定の期間を設ける事により慣れが生じないように、制御している。
【０００４】
又、もぐら忌避剤を用いてもぐらを忌避する方法が用いられてきた。特開2005−179330号公報記載のもぐら忌避剤は、本発明は木タール液（又は竹タール液以下同様）とニンニクとから成るもぐら忌避剤であり、木タールおよびニンニクはいずれも天然物であるので，合成化学品と異なり土壌菌によって徐々に分解され土壌を汚染することはない。また，農作物に悪影響を与えない利点もある。
【０００５】
【特許文献１】特開2001−340047号公報
【特許文献２】特開2005−179330号公報
【発明の開示】
【発明が解決しようとする課題】
【０００６】
以上に述べた従来のもぐら忌避方法では、土中に振動や音を与える装置は、慣れを生じさせない方法を設けるが、やはり慣れを生じてしまう。又、装置として高価になってしまい、電力供給なども考慮しなければならず、農耕地などでは、電力確保が困難である。
また、木タール液とニンニクとから成るもぐら忌避剤は、木タール液が水不溶性であるために効果範囲が狭く、30〜200ｃｍ間隔で、深さ15〜40ｃｍの穴を掘り埋めなければならず、広範囲の場所には、大変な労力がかかり、不向きである。さらに、木タール液とニンニクは、分解後土壌となるが、植物にとって有害ではないが、有益なものでもない。もぐらの忌避以外には、何ら効果を持たない。
【０００７】
本発明は、このような従来のもぐら忌避の方法で有していた問題を解決しようとするものであり、安全に安価に効果を高くもぐらを忌避する方法を目的とするものである
【課題を解決するための手段】
【０００８】
そして、本発明は上記目的を達成するために、特別な装置を用いる事なく、製造方法が簡易的でコストをかけず、製造出来る物。また、環境問題の関心の高まりから、もぐら忌避剤が環境にとって無害なものであり、さらには、農耕地にとって有益になるものを、発明者は鋭意研究を重ねた結果、石灰質で多孔質な物質に、ヨウ素成分を吸着させ、その物質をもぐらを忌避したい場所に、埋める事でもぐらを忌避することに至った。
【０００９】
もぐらを忌避する作用は次の通りである。もぐらは、地中に生息している為、聴覚、嗅覚が優れている。特に嗅覚は生命の危機を察知する為に臭いは、もぐらにとって欠くことの出来ない情報であり、一度嫌いな臭いを嗅ぐと二度と近寄らない。ここで、昆布などの海藻類に多く含まれるヨウ素は、独特の臭いを持ち、昇華性をもつ物質であり、もぐらが嫌う臭いであることが分かった。そこで、ヨウ素臭を発生させるヨウ素成分を、珊瑚貝化石に吸着させ、長期に渡り独特の臭いを放出し続ける事により、もぐらが近づかないようになり、もぐらを忌避することが出来る。ヨウ素は、自然界のものであり、人間の栄養上必要な物質であり、植物、環境にとって有害ではない。
【００１０】
また、もぐら忌避剤が農耕地にとって有益になる作用は、次の通りである。珊瑚貝化石とは、数千万年前の海中に生息していた珊瑚を中心にした貝類・甲殻類・ケイ藻類・海藻類などが厚い層となって堆積していたものが、その後の地殻変動で隆起し、化石化したものである。その貝化石は、化石化の際に多孔質で石灰質の物質となる。珊瑚貝化石の主成分は、窒素（N）、リン酸（Ｐ2O5）,加里（K３O）ケイ酸（SiO３）、石灰（CaO）、アルカリ分、酸化鉄（Fe２O３）、酸化アルミニウム（Al２O３）硫黄（S）、銅（Cu）、亜鉛(Zn)などが含まれており、ミネラル成分が多く植物にとって有益なものとなる。
【００１１】
製造方法は、ヨウ素溶液の中に、珊瑚貝化石を入れて一定時間、熱を加える。その後、乾燥すると得る事が出来る。高価な装置を使用することなく、簡易的且つ低コストで製造する事が出来る。
【発明の効果】
【００１２】
上述のように本発明のもぐら忌避剤は、生物、環境に有害ではなくもぐらを忌避するに効果的な成分を含み、また、担持させる物が農耕地の作物にとって有益な効果を持つ物であり、簡易的かつ安価に製造する事が可能である。
【発明を実施するための最良の形態】
【００１３】
吸着させる珊瑚貝化石の体積の1.5倍の容量の純水に珊瑚貝化石の３０重量％のヨウ素とそのヨウ素の重量の2倍のヨウ化カリウムを溶解させヨウ素ヨウ化カリウム溶液を作成する。この溶液を40℃に加熱する。そこへ、珊瑚貝化石を浸漬させる。1時間後、乾燥させる。
乾燥させた珊瑚貝化石を、もぐらの被害のある農耕地に３ｍ間隔で、3gずつ５〜１０ｃｍの深さに埋めていく。その後、もぐらを忌避することが出来た。また、作物等にも、何ら影響はなかった。
(57)【要約】【課題】  未来、又は過去を見たり、聞いたりできることを提供する。【解決手段】  加速器、又は減速器に信号を再生する機器をつなげているのを特徴とする。【選択図】図１
2008220139.tif 000002
【特許請求の範囲】
【請求項１】
加速器、又は減速器に、信号を再生する機器を取り付けた未来又は過去を見たり、聞いたりできる装置。
【発明の詳細な説明】
【技術分野】
【０００１】          この発明は加速器、又は、減速器によって信号の電子を加速、又は減速し、もとの速度に戻ることを利用して、その変化した信号を再生することによって、未来、又は過去を見る、又は聞く装置に関するものである。
【背景技術】
【０００２】          従来、未来、又は過去を見る、又は聞くことは不可能であった。
【発明の開示】
【発明が解決しようとする課題】
【０００３】          未来、又は過去を見る、又は聞くのを可能にするものである。
【課題を解決するための手段】
【０００４】          加速器、又は減速器に信号再生器を設けた。
本発明は、以上の構成よりなる未来、又は過去を見る、又は聞く装置である。
【発明の効果】
【０００５】          未来、又は過去を見る、又は聞くことが可能となる。
【発明を実施するための最良の形態】
【０００６】          以下、本発明を実施するための最良の形態について説明する。
マイクロフォン付きＴＶカメラからの信号を各々加速器につなぎもとの速度にもどったところでＴＶに映す。減速する場合は、加速器を逆につなぐ。
【図面の簡単な説明】
【０００７】
【図１】  本発明のブロック図である。
【符号の説明】
【０００８】  １  加速器、又は減速器
２  ＴＶ
【図１】
2008220139.tif 000003
(57)【要約】【課題】  我が国は、急速な出生率の低下によって、人口の高齢化が進展し、数年後には超高齢社会となります。がん、心臓病、脳卒中、糖尿病、肥満症等の生活習慣病が増加し、これに伴って痴呆や寝たきり状態による要介護者の増加や医療費の増大が深刻な社会問題となっています。  生活習慣病の予防や治療においては、個人が継続的に生活習慣病を改善し、病気を予防していくことが重要とされています。  この発明は、一人一人の生活改善を継続的に指導し、生活習慣病等を予防し、健康水準を保持・増進することを課題としています。【解決手段】  この発明を、商品化し、具体的に展開していくためには、医療施設を有している生命保険会社と協力することが、最善の策と考えます。【選択図】図１
2008220144.tif 000002
【特許請求の範囲】
【請求項１】
ほけんに加入するために、医療上の検診（診査）を受けるのではなく、個人自らの健康維持・増進、健康づくりのために医療による検診を受ける。
【請求項２】
検診後、個々の健康度に応じて、健康運動指導士、保健師、管理栄養士などの専門家により、個別に保健指導をする。
【請求項３】
このほけんに加入することにより、定期的に検診並びに上記専門家による保健指導が受けられ、これにより、病気の早期発見、並びに生活習慣病等の予防対策に対応できる。
【請求項４】
このほけんは、生命保険会社が販売している商品に、特約として付加することもできる。
【請求項５】
このほけんのほけん期間は、基本ほけん期間を１５年とし、加入者の希望に合わせ、ほけん期間をより長期に定めることができる。
【発明の詳細な説明】
【技術分野】
【０００１】  短期積立部分と長期積立部分との組合せによるほけん。【０００２】  短期積立部分は、健康診断受診時に、定期的に取りくずし、健康診断、保健指導、管理栄養指導、健康運動指導等の諸費用に充て、
長期積立部分は、ほけん期間満了時に健康づくり祝金として給付する。【０００３】  申し込み後、加入者には、写真入りカードを発行し、緊急時に、即医療対応ができるようにする。
【発明の開示】
【発明が解決しようとする課題】
【０００４】  我が国は、急速な出生率の低下によって、人口の高齢化が進展しています。がん、心臓病、脳卒中、糖尿病、肥満症等の生活習慣病が増加し、これに伴って、痴呆や寝たきり状態による要介護者の増加や医療費の増大が深刻な社会問題となっています。
この発明は、一人一人の生活改善を指導し、生活習慣病等を予防し、健康水準を保持、増進することを課題としています。
【課題を解決するための手段】
【０００５】  この発明を、商品化し、具体的に展開していくためには、医療施設を有している生命保険会社の協力を得ることが、最善の策と考えます。
【図面の簡単な説明】
【０００６】
【図１】本発明を図表したもので、ほけん期間１５年の場合の図で、経過年数による長期積立部分と、短期積立部分を表し、上記の数字は、健康診断、保健指導、管理栄養指導、健康運動指導等を受ける回数を示しています。
【図１】
2008220144.tif 000003
(57)【要約】【課題】電子文字電子メールでなくて光子文字光子メールです【解決手段】光源から光子が飛びその光子に記号を打つことにより光キャッチメモリーは光文字となりカラー字も可能となるのではないでしようか光メールそしてここに光メモリーは可能と成ったと考えます【選択図】図１
2008220145.tif 000002
【特許請求の範囲】
【請求項１】
光携帯電話器無線器  光文字  光メール  光キャッチメモリー
【請求項２】
（請求項１）光携帯電話器無線器
（請求項２）光文字
【請求項３】
光メール
【請求項４】
光キャッチメモリー
【発明の詳細な説明】
【技術分野】
【０００１】
【背景技術】
【０００２】
【特許文献１】光携帯電話器無線器
【特許文献２】光文字
【特許文献３】光メール
【特許文献４】光キャッチメモリー
【発明の開示】
平成１９年
【発明が解決しようとする課題】
電気には電子陽子光子と有って光子には＋−の対ができる
打つ光子には記号をつけます
つまり光源から光子が飛ぶその光子には記号が打ってあるのです
つまりここに光キャッチメモリーは文字となるのです
【課題を解決するための手段】
光メモリー携帯電話器無線器は打つ光子に記号をつけることにより光メモリー還元機は光感知機により光還元機されることです
【発明の効果】
光キャッチメモリーにより光子が光文字となり光メールを可能にすることです
【発明を実施するための最良の形態】携帯電話器無線器と同じ形態  相異点は光子ですから電子と異なり電子文字電子メールとは異とするところです。ここに光文字そして光メールの可能となる光文字光メールとなります
【実施例】携帯電話器無線器
【産業上の利用可能性】国民の生活の便利性と１１０番通報
【図面の簡単な説明】日本タイプとアメリカタイプ
2008220145.tif 000003
【符号の説明】
図１
【図１】
2008220145.tif 000004
【図２】
2008220145.tif 000005
【手続補正書】
【提出日】平成19年6月5日(2007.6.5)
【手続補正３】
【補正対象書類名】明細書
【補正対象項目名】全文
【補正方法】変更
【補正の内容】
【発明の詳細な説明】
【技術分野】
【０００１】
【背景技術】
【０００２】
【特許文献１】光携帯電話器無線器
【特許文献２】光文字
【特許文献３】光メール
【特許文献４】光キャッチメモリー
【発明の開示】
平成１９年
【発明が解決しようとする課題】
電気には電子陽子光子と有って光子には＋−の対ができる打つ光子には記号をつけます
つまり光源から光子が飛ぶその光子には記号が打ってあるのです
つまりここに光キャッチメモリーは文字となるのです
【課題を解決するための手段】
光メモリー携帯電話器無線器は打つ光子に記号をつけることにより光メモリー還元機は光感知機により光還元機されることです
【発明の効果】
光キャッチメモリーにより光子が光文字となり光メールを可能にすることです
【発明を実施するための最良の形態】携帯電話器無線器と同じ形態  相異点は光子ですから電子と異なり電子文字電子メールとは異とするところです。ここに光文字そして光メールの可能となる光文字メールとなります
【実施例】携帯電話器無線器
【産業上の利用可能性】国民の生活の便利性と１１０番通報  衛星間通信  異星間通信、光通信文字器  ライトペーパーマシーンへの始発  光ライト通信ペーパー文字マシーンへの始発  光ライター通信ペーパー文字マシーンへの始発
【図面の簡単な説明】
【０００３】
【図１】送った光子信号は光メモリー還元機により受信光文字となる（図面の簡単な説明を文章で記載します。）受けた光子信号は光メモリー還元機により受話器となる
【図２】光メモリー還元機により送受信器が送受話器となる  ここに通話が可能となります。つまり信号を通信信号に変えてその通信信号を通話機能化するところに送受話器通信無線器が可能となります  半導体レーザーは参考となります。半導体レーザーは参考としました。半導体レーザー回路参考としました。
(57)【要約】【課題】気密住宅等にコンセントボックス等を設置する場合、気密シートの開口部から外気湿気の侵入、さらには、コンセントボックス等から配線される電線に関しても、配線の孔から外気、湿気を室内や壁内に侵入させてしまい、住宅の気密性能を著しく低下させてしまうが、それらを解決するスイッチ・コンセントボックス等を提供する。【手段】スイッチ・コンセントボックス等にあるフランジ部を、室内壁面のフランジＡにおいては小さくし、壁内面フランジＢにおいては、より大きくした二重構造とし、さらに配線用ホースのある、全体が柔軟性と弾力性を有する合成樹脂で一体形成したボックス。【選択図】図１
2008220141.tif 000002
【特許請求の範囲】
【請求項１】
壁の外壁材と内壁材の空間に設けるスイッチ又はコンセントボックス等であって、全体が柔軟性と弾力性を有する合成樹脂製で、大きさの異なった大小二重のフランジ部を有し、小さいフランジは内壁材に、他の大きいフランジは壁内に張られた気密シートと密着することができる構造をもつスイッチ又はコンセントボックス等。
【請求項２】
外壁面には柔軟性と弾力性を有する合成樹脂製の電線コードを導くためのホースを設置しているスイッチ又はコンセントボックス等。
【発明の詳細な説明】
【技術分野】
【０００１】本発明は、木造住宅等の間隔を有する外壁材と内壁材から成る中空壁などの壁にコンセントやスイッチボックス等を取り付ける際に開口される開口孔に対して外壁材と内壁材との間の気密性を維持させるために装着されるボックスである。
【背景技術】
【０００２】木造住宅の壁を外壁材と内壁材とに間隔を設けて二重にし、外壁側や内壁側に断熱材を配したり、気密シートで建物全体を覆うことにより気密断熱性能を高める住宅が、省エネルギー住宅として多く建築されている。このような気密壁を備えた住宅では、新たにコンセントやスイッチボックス等を設置する場合、内壁材を開口し、それらを設置するのであるが、その設置された孔から壁内の空間に外気や湿気が侵入し、冷暖房の効率が低下したり、壁内の結露を発生させ、構造材を腐食し、住宅の価値そのものを低下させるの恐れがある。従来は、開口された孔に、コンセントボックス等を設置し、その後、防気、防塵カバーといわれる部品を設置しているのみであった。これらは、内壁材にフランジ部をビスにて固定するのみで、気密シート部の隙間を塞いでいない。さらに、防気、防塵カバーからは電線が布設されるが、なんらの気密処置がとられていない。配線部分については、発泡ウレタンをスプレー缶より噴射し、配線の孔を塞ぐ方法がとられているが、発泡ウレタンは、噴射時に孔より、はみ出してしまうことが多く、施工の仕上がりが綺麗でない。そもそも、発泡ウレタンは気密性能を保持するためのものではなく断熱材として、若しくは、断熱材の補強を目的として作られたものであるから、気密性能を向上させることはできない。また、発泡ウレタンを施工した配線等を再工事する場合は、発泡ウレタンを撤去しなければならないが、撤去工事に非常に手間がかかってしまい、コスト高となってしまう。
【発明の開示】
【発明が解決しようとする課題】
【０００３】省エネルギー住宅は、断熱性能と気密性能によって評価されるのであるが、コンセントボックス等の設置によって、住宅に設置された気密シートが開口され、気密性能を著しく低下させてしまう。外気や湿気が侵入しないよう、防気、防塵カバー等が使用されているが、気密シートの開口部に関してはなんらの対策ができていない状況である。気密シートの開口部からの外気湿気の侵入、さらには、コンセントボックス等から配線される電線に関しても、配線の孔から外気、湿気を室内や壁内に侵入させてしまい住宅の気密性能を著しく低下させてしまうが、それらの問題を解決しなければならない。
【課題を解決するための手段】
【０００４】以上の課題を解決するために、本発明は、スイッチ・コンセントボックス等にあるフランジ部を、室内壁面フランジＡを小さく、壁内面フランジＢを大きくした二重構造とし、さらに配線用ホースのある全体が柔軟性と弾力性を有する合成樹脂で一体形成したボックスである。【０００５】請求項２に記載の発明は、上記の発明においてこのボックス等には、電線コードを導くためのホースを設置している。外壁を貫通させる場合において、配線コードの開口孔は外気、湿気を室内に侵入させてしまうが、そのホース内に、配線することにより、外気、湿気の侵入を防止することを特徴とする。
【発明の効果】
【０００６】本発明を使用することにより、スイッチ・コンセントボックス等を設置する際には、その柔軟性により壁内に容易に挿入でき楽に施工できる。更に、２つのフランジにより、室内壁と、壁内の気密シートを圧着させ完全に気密を保持することができる。また、ボックスと一体となったホースに電線等を配線することにより、配線用の孔からの外気、湿気侵入を防止できる。【０００７】従来の技術では、気密を保持するためには、専用の気密スイッチ・コンセントプレートを使用しなければならないが、フランジ部を二重構造とし、さらに配線用ホースのある全体が、柔軟性と弾力性を有する合成樹脂で一体形成した本発明によれば、従来からの既存のスイッチ・コンセントプレートを使用できるため、施工に関してもコスト高とならない。
【図面の簡単な説明】
【０００８】
【図１】本発明の斜視図
【図２】本発明の側面図
【図３】本発明の施工図
【符号の説明】
【０００９】１  フランジＡ
２  フランジＢ
３  スイッチ・コンセントボックス等
４  配線用ホース
【図１】
2008220141.tif 000003
【図２】
2008220141.tif 000004
【図３】
2008220141.tif 000005
(57)【要約】【課題】簡単に団扇（うちわ）に組立てることがき、また、密に重ねて保管できるようにすること。【解決手段】扇面部１とハ字状に窄めた手持ち面部２、および、手持ち面部２の端縁から延び、起立面３ａと傾斜面３ｂとからなる握り部３と傾斜面３ｂの先端から延び、先端に係止突部４ａを有する固定帯４とを一枚の硬質紙で形成し、前記起立面３ａを前記手持ち面部２の端縁から折り曲げて起立し、傾斜面３ｂを手持ち面部２へ折り曲げ、固定帯４を、切抜き丸孔５と手持ち面部２の端縁との間に形成した第１の切欠長孔６と第２の切欠長孔７に挿通する。これにより切抜き丸孔５とハ字状の手持ち面部の一端縁との間に、その一端縁に沿って延びる三角状に突出する握り部３を形成する。切抜き丸孔５に親指を挿入し、他の指を傾斜面３ｂに当てて団扇を持って扇ぐ。【選択図】    図１
2008220422.tif 000002
【特許請求の範囲】
【請求項１】
扇面部と、前記扇面部からハ字状に窄めた手持ち面部とを一枚の硬質紙で形成してなる団扇であって、前記ハ字状の手持ち面部に切抜き丸孔を形成するとともに、前記切抜き丸孔と前記ハ字状の手持ち面部の一端縁との間に、その一端縁に沿って延びる三角状に突出する握り部を形成してなることを特徴とする団扇。
【請求項２】
三角状に突出する握り部の先端に、該先端から突出し、先端に幅広の係止突部を形成した固定帯が形成され、一方、ハ字状の手持ち面部に、該手持ち面部の一端縁と抜き丸孔との間に、該一端縁と平行して延びる第１の切欠長孔と前記第１の切欠長孔と平行して延びる第２の切欠長孔が形成され、前記固定帯の先端を前記第１の切欠長と前記第２の切欠長孔に順次挿通して、前記固定帯の先端の係止突部を前記第２の切欠長孔に係止して前記三角状に突出する握り部を固定してなることを特徴とする請求項１に記載の団扇。
【発明の詳細な説明】
【技術分野】
【０００１】
本発明は、一枚の硬質紙で形成した団扇（うちわ）に関するものである。
【背景技術】
【０００２】
団扇は、扇いで風を起こす道具の一つとして良く知られている。通常、このような団扇は、細い竹の複数を平面状に配列して骨とし、その両面に紙などを張って扇ぎ面とし、これに柄を取り付けて構成されている。しかし、斯かる団扇は、その製作に手間がかかり、また、柄の厚みが扇ぎ面の厚みよりも厚く、重ねて保管するには嵩張り保管しにくいといった問題があった。
【発明の開示】
【発明が解決しようとする課題】
【０００３】
本発明が解決しようとする課題は、簡単に団扇に組立てることがき、また、密に重ねて保管できるようにし、斯かる問題を解消する点にある。
【課題を解決するための手段】
【０００４】
本発明は、扇面部と、前記扇面部からハ字状に窄めた手持ち面部とを一枚の硬質紙で形成してなる団扇であって、前記ハ字状の手持ち面部に切抜き丸孔を形成するとともに、前記切抜き丸孔と前記ハ字状の手持ち面部の一端縁との間に、その一端縁に沿って延びる三角状に突出する握り部を形成してなることを特徴とする。
【発明の効果】
【０００５】
本発明では、扇面部と、手持ち面部および握り部とを一枚の硬質紙を切り抜き形成するので、扇面部の印刷が簡単であるとともに、平坦な一枚の状態で蜜に重ねて保管することができ、また、使用に際して握り部を手持ち面部の端縁から折り曲げて突出する三角状に形成するので、簡単に団扇を完成させることができる。
【発明を実施するための最良の形態】
【０００６】
簡単に団扇に組立てることがき、また、密に重ねて保管できるようにする目的を、扇面部とハ字状に窄めた手持ち面部および握り部とを一枚の硬質紙で形成し、ハ字状の手持ち面部に切抜き丸孔を形成するとともに、切抜き丸孔とハ字状の手持ち面部の一端縁との間に、その一端縁に沿って延びる三角状に突出する握り部を、その端縁から内側に折り曲げて形成することにより実現した。
【実施例】
【０００７】
以下、本発明に係る実施例について図を参照して説明する。図１は本発明の実施例に係る団扇の正面図（ａ）と握り部の拡大断面図（ｂ）、図２は、図１に示す団扇の展開図である。
【０００８】
図２において、１は扇面部、２はハ字状に窄めた手持ち面部、３は握り部を形成する握り面部、４は先端に幅広の係止突部４ａを形成した固定帯、５は切抜き丸孔、５ａは切抜き丸孔５内へ突出する切り刻み片、６は固定帯４の係止突部４ａ間の幅寸法を有する第１の切欠長孔、７は固定帯４の幅寸法を有する第２の切欠長孔である。なお、一点鎖線部は折り線である。
【０００９】
握り面部３には、手持ち面部２の端縁から起立させる起立面３ａとこの起立面３ａと連接し、起立させた起立面３ａの頂点から手持ち面部２へ傾斜する傾斜面３ｂを備えている。そして、扇面部１、ハ字状に窄めた手持ち面部２、握り面部３および固定帯４は、一枚の硬質紙（本例ではＤＶ４５０ｇ／ｍ２の板紙）を型の打ち抜きで形成されている。
【００１０】
以上の構成で、団扇として使用するときには、図１（ｂ）に示すように手持ち面部２の端縁に沿って握り面部３を折り曲げ起立し、つづいて握り面部３の傾斜面３ｂを手持ち面部２へ折り曲げる。その折り曲げと同時に握り面部３の先端に連接された固定帯４をその先端から第１の切欠長孔６に挿通して折り曲げ、さらにその先端を第２の切欠長孔７に挿入する。この挿入により固定帯４の先端の突出部４ａと第２の切欠長孔７と係合し、固定帯４は外れにくくなり、変形しにくい握り部３が形成される。
【００１１】
そして、三角状に突出する握り部３を裏面とし、その反対側の表面から切抜き丸孔５に、その丸孔５内に突出する切り刻み片５ａを折り曲げて片手の親指を挿入し、残りの指を裏面側の握り面部３の傾斜面３ｂに当てて団扇を持ち、その手で揺らして扇面部１に風を起こさせる。切り刻み片５ａを折り曲げることにより親指の付根に当接する角部に丸みを持たせることができ、揺らしに際して角の当接による痛みをなくすることができる。
【００１２】
なお、実施例では扇面部１をほぼ円形状に形成しているが、扇面部１の形状は円形状に限られるものではなく、例えば扇子状であってもよい。
【図面の簡単な説明】
【００１３】
【図１】本発明の実施例に係る団扇の正面図（ａ）と握り部の拡大断面図（ｂ）である。
【図２】図１に示す団扇の展開図である。
【符号の説明】
【００１４】
１  扇面部
２  手持ち面部
３  握り面部
３ａ  起立面
３ｂ  傾斜面
４  固定帯
４ａ  係止突部
５  切抜き丸孔
５ａ  刻み片
６  第１の切欠長孔
７  第２の切欠長孔
【図１】
2008220422.tif 000003
【図２】
2008220422.tif 000004
(57)【要約】【課題】  構造が複雑で、取り扱いが面倒である。ポリ袋の取り付けに手間が掛かる。又、故障しやすい構造の物もある。ポリ袋のサイズの大小にも、十分対応出来ない為、ポリ袋のリサイクルが不十分である。故にポリ袋購入の経費がかかる。又価格が高い物もある。  故に市中において利用されていない。【解決手段】  上記課題を解決する為、特製の金属フレームの先端部と両側部にポリ袋を取り付けて、手前部は、ゴム紐付きフックで引っ張る方法にした。  金属フレームと柄の接合法は、低コストで簡単にと考えて、特製の柱状構造物を作った。  市中で、広く普及させる為、簡素化と、低価格化に徹した物である。【選択図】図１
2008220339.tif 000002
【特許請求の範囲】
【請求項１】
堅牢な鋼線で構成した、末広がり扇形で先端部に丸みを持ったフレームをパイプ状の柄の先端に取り付ける。このフレームの先端部と両側部にポリ袋を引っ掛けて手前部はゴムベルト付きフックで引っ張る形式の糞取り器。
【請求項２】
針金状の金属フレームを、パイプ状の柄に取り付ける方法は、特種な柱状構造物の中心線上の両端に鋼線の通る溝を作り、この溝に末広がり扇形金属フレームの基部を通し、柄の先端部に挿し込み接着剤、若しくはネジで固定する方法。
【発明の詳細な説明】
【技術分野】
【０００１】本発明は、社会問題になっている、ペット類の糞処理に関する物である。
【背景技術】
【０００２】［特許公開２００１−５４３３２］
［特許公開２００３−３２７３１３９］
［特許公開２００４−２４２５２０］
［特許公開平８−１２０］
【発明の開示】
【発明が解決しようとする課題】
【０００３】既存の案件では構造が複雑で、取り扱いにくい。又、故障など起こりやすい。
ポリ袋のサイズの大小にも十分に対応出来ない為、スーパーの袋、全てをリサイクルして使えない。従ってポリ袋購入の維持経費がかかる。
【課題を解決する為の手段】
【０００４】本発明は、末広がり扇形金属製フレームをパイプ状の柄の先端部に取りつける。
フレームの先端部は円弧状に丸みをつける。両側部は途中で上面に１５度くらいの反りを付けたものである。又、基部が柄の途中に固定された、ゴム紐の先端にフックを取り付けた物である。
【発明の効果】
【０００５】構造が簡単で、取り扱いも簡単である。故に安価で提供できる。
スーパーのポリ袋の殆どが利用できる為、リサイクルの上からも優れている。
従って維持経費も不要である。
【発明を実施する為の最良の形態】
【０００６】本発明は、社会問題と成っている糞公害を減らす事と、ポリ袋のリサイクルに役立つと言う事、又、取り扱いが簡単で安価であり、維持経費が不要というメリットを兼ね備えた物である。
【実施例】
【０００７】末広がり扇形金属フレームの先端部と両側部にポリ袋を通して３ｃｍ位外側に折り返し、手前部はゴム紐付きフックで引っ張る形式の糞取り器である。
【図面の簡単な説明】
【０００８】
【図１】糞取り器にポリ袋を取り付けた状態の図。
【図２】糞取り器の全体構造図。
【図３】主要部を分解拡大図。Ａ  末広がり扇形金属フレーム。Ｂ  フックとゴム紐、及び固定用粘着テープ。Ｃ  柄の部分の先端部。Ｄ  柱状構造物の正面図と側面図。
【符号の説明】
【０００９】１      末広がり扇形金属フレーム
２      取り付け用柱状構造物
３      取り付け用ネジ
４      ゴム紐基部取り付け用粘着テープ
５      柄
６      フック
７      フック取り付け用ネジ
８      ゴム紐
９      ポリ袋
１０    柱状構造物取り付け用ネジ穴
１１    ネジ閉め付け用穴
１２    末広がり扇形金属フレームの基部を固定する溝。
１ａ    末広がり扇形金属フレームの円弧状の先端部。
１ｂ    末広がり扇形金属フレームの角度が変わる所、上面に１５度反りをつけている。
１ｃ    柄の先端部と柱状構造物で固定される部分。
１ｄ    脱落防止部。
【図１】
2008220339.tif 000003
【図２】
2008220339.tif 000004
【図３】
2008220339.tif 000005
(57)【要約】【課題】プレート型給水装置を提供する。【解決手段】放熱効果のあるアルミ、銅等を用いたプレート本体と、該プレート本体に設けられたペルチェ素子と、該ペルチェ素子に電力を供給する事が出来る電力供給手段により構成されるプレート型給水装置。【選択図】図１
2008220340.tif 000002
【特許請求の範囲】
【請求項１】
放熱効果のあるアルミ、銅等を用いたプレート本体と、該プレート本体に設けられたペルチェ素子と、該ペルチェ素子に電力を供給する事が出来る電力供給手段により構成されるプレート型給水装置。
【請求項２】
前記電力供給手段は、太陽電池をプレート本体に設け、太陽光発電により電力をペルチェ素子に供給する事を特徴とする請求項１記載のプレート型給水装置。
【請求項３】
前記プレート本体に、植物の名称や品種、キャラクターや動植物等を表示する放熱効果のあるアルミ等で出来た着せ替え用ネームプレート板を取り付けた事を特徴とする請求項１又は請求項２記載のプレート型給水装置。
【発明の詳細な説明】
【技術分野】
【０００１】  本発明は、プレート型給水装置に関するものである。
【背景技術】
【０００２】  植物に対する給水装置は、供給ボトルや水道からの給水など様々な方式が考案されている。しかし、これら従来型の給水装置は、供給する水を水道から補給したり、供給ボトル等に補給したりする必要がある。また装置は大掛かりで、小型の鉢や植物には設置が困難で使用できない場合もある。また鉢全体が給水装置の場合は植物の植え替えが必要となる。
【発明の開示】
【発明が解決しようとする課題】
【０００３】  従来型の補給が必要な給水装置に於いては、供給ボトルや水道等から水を補給する必要があり、補給されない場合は、植物が枯れる可能性も有る。また、従来型の給水装置は大掛かりであり設置方法や配置の場所が難しいという問題がある。特に、小型の鉢や小型の植物への従来型の給水装置の設置は難しい。
家庭やオフィスなどの鉢植え観葉植物は、旅行や休業時に給水ができなかったり、また普段においても給水は忘れられがちな場合があり、植物が枯れたりする原因となる。このような家庭やオフィスなどの給水装置は、設置が容易である事、設置した給水装置の見た目の印象が良い事が大事である。鉢内に不自然な物体が存在する事は見た目の印象が悪く、観葉植物に違和感を与える場合がある。また、既に根づいている鉢植えの観葉植物に対して植替え等の作業が必要無く使用できる事が望ましい。
【課題を解決するための手段】
【０００４】  放熱効果のあるアルミ、銅等を用いたプレート本体と、該プレート本体に設けられたペルチェ素子と、該ペルチェ素子に電力を供給する事が出来る電力供給手段により構成されるプレート型給水装置。
【発明の効果】
【０００５】  本発明の給水方法は、ペルチェ素子を用いて空気中の水分を冷却し結露させる事により給水するため一切の補給の必要がない。また、観葉植物は鉢内に明らかに給水装置と解るボトルや器具を置くことは見た目に良くない。本発明は、見た目には単なるネームプレートであり植物の名称や種類が記入してあるようにしか見えず、観葉植物全体に違和感を与えない。装置自体も大型から小型の物まで作成でき、従来型では特に設置が難しい小型の鉢にも使用できる。また、ネームプレートの部分が着せ替え出来、着せ替えにより植物や鉢の形状に合った、キャラクターや動植物等を配置し演出を楽しむ事も出来る。
【発明を実施するための最良の形態】
【０００６】  発明の第一の形態について説明する。熱伝導率の高いアルミ、銅等で出来たプレート本体（１）の一端は、先が尖っており土に挿し込める形状となっている。プレート本体（１）の裏面にはペルチェ素子（４）が貼り付けられている。ペルチェ素子（４）はプレート本体（１）側に温熱面を接着しプレート本体（１）を使い放熱できるようになっている。反対側の冷却面には効率良く結露させる為の吸熱板（５）が取り付けられ水分が効率良く供給できるようになっている。プレート本体（１）の一部に太陽電池（２）が取り付けられ、発電した電力を接続コード（８）によりペルチェ素子（４）に供給する。
プレート本体（１）の表面にはアルミ、銅等で出来た着せ替え用プレート板（６）がはめ込めるようになっている。本着せ替え用プレート板（６）に、好きな絵を描いたりキャラクターや動植物等を設定する事により、鉢内の空間を演出し楽しむ事も出来る。本発明は以上のように構成されている。
本発明を使用するときは、埋め込み部（３）を鉢の土の部分に挿し込み太陽電池（２）が効率よく発電できるように日当たりの良い場所に設置する。【０００７】  発明の第二の形態について説明する。前記実施の形態と主に異なる点は電力供給手段が異なる点である。設置場所が屋内等で太陽電池（２）による発電が望めない場合は、ブロック図（５）のように家庭用電源（７）、電池等からペルチェ素子（４）に電力を供給する。【０００８】  発明の第三の形態について説明する。前記２つの実施形態と主に異なる点は電力供給手段が太陽電池（２）と家庭用電源（７）、電池等を併用できる点である。ブロック図（６）のように回路を切り替えることにより太陽電池（２）が発電出来ない場合は、家庭用電源を供給することにより、夜間も給水が止まらず常時給水が可能となる。
【図面の簡単な説明】
【０００９】
【図１】本発明の正面斜視図
【図２】発明の背面斜視図
【図３】発明の太陽電池使用ブロック図
【図４】着せ替え用プレート板斜視図
【図５】本発明の第２の実施形体ブロック図
【図６】本発明の第３の実施形体ブロック図
【符号の説明】
【００１０】１、プレート本体
２、太陽電池
３、埋め込み部
４、ペルチェ素子
５、吸熱板
６、着せ替え用プレート板
７、家庭用電源
８、接続コード
【図１】
2008220340.tif 000003
【図２】
2008220340.tif 000004
【図３】
2008220340.tif 000005
【図４】
2008220340.tif 000006
【図５】
2008220340.tif 000007
【図６】
2008220340.tif 000008
(57)【要約】【課題】  本発明は、消費者が好む香りが強いそばの製造方法である。茹でるときに切れにくくするために、つなぎ粉を多く使用しても香りが強いそばを製造し提供する。【解決手段】  そばを製造するにあたり、加水混練工程において通常用いる冷水や湯に代えてそば茶を用いる。【特許請求の範囲】
【請求項１】
そばを製造するにあたり加水混練工程において、通常用いる冷水や湯に代えて韃靼そばや普通そばの抽出液すなわちそば茶を用いることを特徴とするそばの製造方法。
【請求項２】
製麺した後に乾燥させる請求項１に記載のそばの製造方法。
【発明の詳細な説明】
【技術分野】
【０００１】  本発明は、香りを強化したそばの製造方法に関するものである。
【背景技術】
【０００２】  従来、そばの製造をするとき、そば粉につなぎに用いる小麦粉などを混合して、冷水又は湯を適量用いて練り上げ、圧延機あるいはのし棒で所望の厚みに延展したのち、切り出し機あるいは包丁で麺線にするが、消費者が好む香りが強いそばの製造方法として、香りが強い甘皮粉の生地を、そばの実中心部を製粉した更科粉の生地で両側からはさみ、延展して製麺するなどのことがなされている。  （特許文献１参照）
【特許文献１】    特開平９−４７２４５号公報
【発明の開示】
【発明が解決しようとする課題】
【０００３】  香りが強いそばを製造する方法として背景技術に記載の方法の他に、一般的には甘皮粉の混合比率を上げる方法や、つなぎ粉の混合比率を下げる又はつなぎ粉を用いない方法（いわゆる十割そば）が用いられてるが、粉に粘度や弾力が乏しいため製麺するのが難しく、切れやすい麺線になってしまう。
本発明は以上の問題点を解決し、つなぎ粉として用いる小麦粉などの混合比率をあげても香りが強くて切れにくいそばの製造方法を提供する。
【課題を解決するための手段】
【０００４】  そばを製造するにあたり加水混練工程において、通常用いる冷水または湯に代えて韃靼そばや普通そばの抽出液すなわちそば茶を用いる。
本発明は以上の工程を特徴とする、香りを強化したそばの製造方法である。
【発明の効果】
【０００５】  本発明により消費者が要求する香りが強いそばを、つなぎ粉を比較的多量に混合しても製造できる。このことにより香りが強くなおかつ切れにくいという相反する要素を併せ持つそばを簡易に製造できる。
【発明を実施するための最良の形態】
【０００５】  以下本発明の実施の工程を詳細に説明する。
（イ）  粉原料混合工程
脱穀して外皮を脱したそばの実を石臼等で挽き、粉末状にしたそば粉を所定量（例えば６０％）に対してつなぎ粉（小麦粉など）を所定量（例えば４０％）加えて十分に混合する。
（ロ）  そば茶抽出工程
加水混練工程で冷水または湯に代えて使用するそば茶の抽出方法は、まず脱穀して外皮を脱したそばの実を焙煎する。この際カルボニル化合物、フラン類、アルデヒド類、フェノール類、アルコール類など多種類な香気成分を生成することが知られており、本発明はこれら香気成分により完成したそばの風味を香ばしく強化することを目的とする。  またより自然な風味を得たい場合は焙煎しないそばの実を使用してもよい。
そば茶抽出に用いる水は、飲用に適したものであればよいが、蒸留水、浄水器を通した水などが好ましい。
抽出用水１００重量部に対して、焙煎したそばの実５〜１０重量部程度使用する。抽出方法は、８０度〜１００度の液温の抽出用液にそばの実を浸しておこなう。抽出時間は香気成分を十分に溶出させるため１０分〜３０分程度がよい。得られた抽出物を遠心分離機やざるなどで濾別後５度〜１０度程度の液温になるまで冷却した抽出液をさらに濾紙濾過してそば茶を精製する。
（ハ）  加水混練工程
粉原料混合工程で得た混合粉をミキサーなどの混練に適した機材にいれ、若干の塩とともに、そば茶抽出工程で得たそば茶を加水率が３５％〜４５％になるまで加水する。次に加水された混合粉を、こね鉢や混練機で十分に混練する。なおこの時のそば茶の液温は３度〜１００度の間で任意にきめる。
（二）  圧延切り出し工程
加水混連工程で得たそば玉を圧延機やのし棒などで帯状にのしたものを、切り出し機や包丁で細長い麺線に切り出し仕上げる。
（ホ）
圧延切り出し工程によって得られた生そばきりは、店などで供する場合は、そのままゆでた後、冷そばや温そばに仕上げて供する。  流通商品にする場合は、生のまま包装しても良いし、乾燥機などで乾燥した後、包装出荷してもよい。
（ヘ）
このようにして出来上がったそば茶入りそばを通常の茹で方で茹でた後、冷却して盛りそばをつくり、これを１０名の味覚判定員が通常の製法のそばとの比較判定したところ、そば茶入りそばのほうが明らかにそばの香りが強く、またかすかに焙煎によって得られた香ばしい香りもあり、商品価値が高いとの一様の判定結果が得られた。
（ト）
以下原材料について説明する。
そば粉原料は、一般に栽培されているすべての品種を使用できるものとし、脱穀して製粉された種子芯部（更級粉）のみを使用してもよいし、外周部（あま皮粉）を混合した粉のいずれを使用してもよい。
（チ）
加水混練工程で使用するそば茶原料のそばの実は、一般に栽培されてる普通そばや韃靼そばの品種すべてを使用できるものとし、脱穀して外皮を取り除いたそばの実を原料として使用する。
（リ）
つなぎ粉として使用する原料は一般的に小麦粉、山芋、澱粉、植物繊維など様々なものが使用されているが、つなぎとして適したものはすべて使用できるものとし、複数種類混合してもよい。
(57)【要約】【課題】従来より、コーラ原液は、炭酸水によってコーラ原液を割って製造された、コーラ炭酸清涼飲料の基礎原料としてのみ活用されてきた。しかし、健康志向の高まりにより、糖分を大量に含有する炭酸清涼飲料の生産は、低下傾向にある。そして、炭酸清涼飲料の原料であるコーラ原液も、その影響を受けることとなる。よって、将来の産業上の発展を考えるならば、新たなコーラ原液の活用方法を、研究開発すべきである。【解決手段】コーラ原液を、炭酸清涼飲料の基礎原料から、発展的に解放して、コーラ原液自体に、直接、他の材料を調合及び加工したコーラ濃縮調味飲料を製造する。そして、濃縮嗜好飲料として製品化することにより、嗜好飲料であるコーヒー及びティーに数滴垂らすことによって、新たな風味の嗜好飲料を誕生させ、消費者に提供することが出来る。【特許請求の範囲】
【請求項１】
コーラ原液に、様々な材料を調合及び加工した、濃縮調味飲料。
【請求項２】
コーラ原液に、様々な材料を調合及び加工した、濃縮調味飲料の製造方法。
【発明の詳細な説明】
【技術分野】
【０００１】  本発明は、コーラ原液に、様々な材料を調合及び加工した、濃縮調味飲料の製造方法に関する。
【背景技術】
【０００２】  コーラ原液は、発明されて以来、炭酸清涼飲料の基礎原料として活用され、コーラ原液を炭酸水で割り、様々な材料とブレンド及び加工した、コーラ炭酸清涼飲料として製造され、商品化されている。しかし、コーラという定義はあいまいで、様々なコーラ炭酸清涼飲料が開発されたが、そのほとんどは淘汰された。よって、今では、コーラ原液は、代表的なコーラ炭酸清涼飲料製造の基礎原料として、存在し、活用されているのみである。また、コーラ原液は、コーラ炭酸清涼飲料の基礎原料であるという固定観念が強く、コーラ原液の幅広い活用が進んでいないのが、産業上の実情である。
【発明の開示】
【発明が解決しようとする課題】
【０００３】  コーラ原液は、これまで、コーラ炭酸清涼飲料の基礎原料としてのみ位置付けられ、他の活用方法の研究開発は、皆無であるといってよい状況にある。しかし、健康志向の高まりによって、糖分を大量に含有する炭酸清涼飲料全体の生産量が低下傾向にあり、今後、ますます、飲用規制が厳しくなり、さらに、低下が激しくなるものと予想される。そして、その渦中にある、コーラ炭酸清涼飲料の生産にも、やはり、甚大な影響が及ぶこととなる。その結果、コーラ原液も当然ながら影響を受け、生産量も減少させざるおえない。しかし、今後の産業活動の観点から思考するならば、コーラ原液が、生産量の低下がさらに見込まれる、炭酸清涼飲料だけの原料である現実を、直視しなければならない。そして、新たな発想によって、コーラ原液の活用を計り、新たな位置付けが求められる。もちろん、コーラ原液が、貴重な飲料原料であることに代わりはなく、今後、炭酸清涼飲料以外の活用方法の研究、開発が期待される。
【課題を解決するための手段】
【０００４】  以上の課題を解決するための、第一発明は、コーラ原液に、様々な材料を調合及び加工した、濃縮調味飲料である。また、第二発明は、コーラ原液に、様々な材料を調合及び加工した、濃縮調味飲料の製造方法である。
【発明の効果】
【０００５】  第一発明により、従来、特定の炭酸清涼飲料の基礎原料に限定されていたコーラ原液を、生産低下が続く炭酸清涼飲料の原料から、発展的に解放することにより、コーラ原液の活用を、炭酸清涼飲料から、嗜好飲料へと展開することが出来る。すなわち、世界を代表する嗜好飲料である、コーヒー及びティー等は、飲用直前に、ミルク、砂糖、レモン果汁等をブレンドして、様々な味覚を味わい、楽しむ。その新たなブレンド材料として、コーラ濃縮調味飲料を加える。つまり、コーヒーやティー等にコーラ濃縮調味飲料を、一滴、二滴と垂らすことによって、新たな味わいを演出する。このことにより、コーラ原液の嗜好飲料への進出を実現させ、さらなる、コーラ原液の活用を計ることにより、産業上の発展を期することが出来る。【０００６】  また、第二発明は、新たなコーラ原液の活用を計るためである。従来、コーラ原液は、炭酸水によって割り、薄められ、他の様々な材料とブレンド及び加工することにより、コーラ炭酸清涼飲料として、製造され、製品化されている。この産業上の工業的製造方法は、あくまでも、コーラ炭酸清涼飲料の製造工程であり、コーラ原液の活用は限定されている。しかし、炭酸清涼飲料の生産の低下が、ますます見込まれる将来において、コーラ原液の新たな活用方法は、産業上の発展からも重要である。すなわち、コーラ炭酸清涼飲料の製造工程ではなく、コーラ原液そのものに、様々な材料を調合及び加工して、様々なコーラ濃縮調味飲料を製造する。そして、コーヒー及びティー等の嗜好飲料の飲用における、味わいを広げる、新たなブレンド材料として、製品化する。このことにより、コーラ原液の嗜好飲料への転用を実現し、新たな活用方法の展開によって、産業上の発展を期し、大いに貢献するものである。
【発明を実施するための最良の形態】
【０００７】  コーラ原液を、従来のコーラ炭酸清涼飲料の製造方法である、炭酸水によって割り、薄める工程ではなく、コーラ原液自体に、工業生産的に自動制御、自動管理することにより、様々な材料を調合及び加工する工程によって製造する。すなわち、薄めて製品化するのではなく、濃縮されたままのコーラ原液の要素を、損なうことなく活用し、一滴垂らすだけでも、充分にコーラの風味、味を加えることが出来る、濃縮調味飲料として製品化する。そして、コーヒー及びティー等の飲用時における、バリエーションとして、このコーラ濃縮調味飲料を、コーヒー及びティー等に数滴垂らす。すると、コーヒー及びティー等に新たな味わいを付加することとなり、新たな嗜好飲料を、それぞれ創造する、個人的嗜好の楽しみを提供することとなる。このことにより、コーラ原液自体が、嗜好飲料の良きパートナーである濃縮嗜好飲料として、産業上の活用の幅を広げることとなる。
【実施例】
【０００８】  コーヒーの飲用時に、コーヒーにコーラ濃縮調味飲料を数滴垂らして出来るコーラ・コーヒー。【０００９】  ティーの飲用時に、ティーにコーラ濃縮調味飲料を数滴垂らして出来るコーラ・ティー。